(57)【特許請求の範囲】
【請求項１】
平坦部の端部に目玉部を有する第１のリーフスプリングと、第１のリーフスプリングの下側に配設される端部に湾曲部を有する第２のリーフスプリングとの間に装備される樹脂製サイレンサであって、第１のリーフスプリングの平坦部下方に配置される上面平坦部と、第２のリーフスプリングの湾曲部に当接する湾曲部と、この湾曲部の両側に形成されて第２のリーフスプリングの湾曲部に嵌合されるリブとを備えるリーフスプリング用樹脂製サイレンサ。
【請求項２】
第２のリーフスプリングの湾曲部は、その幅寸法が先細りのテーパー形状を有し、サイレンサの湾曲部もリーフスプリングの湾曲部のテーパー形状に対応する幅寸法が先細りのテーパー形状を有する請求項１記載のリーフスプリング用樹脂製サイレンサ。
【請求項３】
サイレンサの平坦部の上面と湾曲部との境界にこのサイレンサの他の部分と比較して肉厚寸法が最大に形成される稜部を備える請求項１記載のリーフスプリング用樹脂製サイレンサ。
【発明の詳細な説明】
【０００１】
【発明の属する技術分野】
本発明は、ベルリンアイ形状を有するリーフスプリングにおいて、重ねられたリーフスプリング間に挿入されて、きしみ音等を防止するための樹脂製サイレンサに関する。
【０００２】
【従来の技術】
図６は、例えば特開平５−１９６０７６号公報に開示されたリーフスプリングの概要を示す説明図である。
全体を符号１で示すリーフスプリングは、最上部に配設される第１のリーフスプリング２と、第１のリーフスプリング２の下側に順次重ねられる第２のリーフスプリング３、第３のリーフスプリング４を有し、それぞれインターリーフ部材５を介して重ねられる。重ねられたリーフスプリングはパッド６を介して、２本のＵボルト７とナット８によってアクスル９等の相手部材に固着される。
【０００３】
第１のリーフスプリング２の両端部は、円弧状に湾曲されて、いわゆる目玉部２１を形成する。第２のリーフスプリング３の端部３１も円弧状に湾曲されて、第１のリーフスプリング２の目玉部２１の外周部に重ねられる。各リーフスプリング２，３，４の目玉部の近傍には、サイレンサ１０が挾み込まれて、リーフスプリング間で発生する摩擦によるきしみ音の発生を防止している。
【０００４】
図７，図８は、第１のリーフスプリング２の目玉部と、第２のリーフスプリング３の端部との間にサイレンサを取り付けるための構造を示す。第１のリーフスプリング２の端部は円弧状に湾曲されて、いわゆるベルリンアイと呼ばれる目玉部２２を形成する。この目玉部２２の中心は、ほぼ第１のリーフスプリング２の板の中心線上に形成される。第２のリーフスプリング３の端部には、この目玉部２２に対して、下側から重ねられる弧状の湾曲部３２が形成される。この湾曲部３２には貫通穴３３が設けられる。サイレンサ５０は、この目玉部２２に当接する形状を有し、ボルト５１と図示しないナット等により、サイレンサ５０は第２のリーフスプリング３に固着される。
【０００５】
図９は、第１のリーフスプリング２の端部が上向きに円弧状に湾曲される、いわゆるアップターン形状の目玉部２３を有するリーフスプリングにサイレンサを取り付ける構造を示す。
第２のリーフスプリング３の端部にも、アップターンの湾曲部３５が形成される。
サイレンサ６０はフラットな形状を有し、取付部材６１を介して第１のリーフスプリング２に対して固着される。この場合にも第１のリーフスプリング２の目玉部２３の近傍に、取付用の貫通穴を設ける必要が生ずる。
【０００６】
【発明が解決しようとする課題】
上述した従来の構成にあっては、重ねられたリーフスプリングの間にサイレンサを保持するために、ボルト，ナット等の取付部材を必要とし、また、リーフスプリング側にも取付用の穴を加工する等の必要があった。
そこで本発明は、上述した問題を解消するリーフスプリング用のサイレンサを提供するものである。
【０００７】
【課題を解決するための手段】
本発明の樹脂製サイレンサは、平坦部の端部に目玉部を有する第１のリーフスプリングと、第１のリーフスプリングの下側に配設される端部に湾曲部を有する第２のリーフスプリングとの間に装備されるものである。そして、基本的な手段として、第１のリーフスプリングの平坦部下方に配置される上面平坦部と、第２のリーフスプリングの湾曲部に当接する湾曲部と、この湾曲部の両側に形成されて第２のリーフスプリングの湾曲部に嵌合されるリブとを備える。
【０００８】
また、第２のリーフスプリングの湾曲部は、その幅寸法が先細りのテーパー形状を有し、サイレンサの湾曲部もリーフスプリングの湾曲部のテーパー形状に対応する幅寸法が先細りのテーパー形状を有するものである。さらに、サイレンサの平坦部の上面と湾曲部との境界にこのサイレンサの他の部分と比較して肉厚寸法が最大に形成される稜部を備えるものである。
【０００９】
【発明の実施の形態】
図１は、本発明のサイレンサと、リーフスプリングの端部の構成を示す説明図、図２は本発明のサイレンサを装備したリーフスプリングの端部の側面図、図３は図２のＡ−Ａ断面図である。
第１のリーフスプリング１１０は、平坦状のリーフスプリングから目玉部への基端部１１２が一度下向きに折り曲げられ、その先端部が円弧状に折り曲げられて目玉部１１４を形成する、いわゆるベルリンアイを有するリーフスプリングである。
【００１０】
この第１のリーフスプリング１１０の下側に配設される第２のリーフスプリング１２０は、第１のリーフスプリング１１０のベルリンアイの下側に重ね合わされる形状の湾曲部１２２を有する。この湾曲部１２２は、リーフスプリングの先端部１２６に向けて、リーフスプリングの板幅の両側部１２４が先細りとなるテーパー形状に形成されている。
【００１１】
本発明のサイレンサ２００は、その上面が第１のリーフスプリング１１０の下面の平坦部下方に配置される上面平坦部２１０と、第２のリーフスプリング１２０の弧状の湾曲部１２２に当接する湾曲部２２０を有する。そして、この湾曲部２２０は、その幅方向の両端部にリブ２２２を有する。このリブ２２２は、第２のリーフスプリング１２０の湾曲部１２２の両側部の外側に嵌合される方向に折り曲げられた構造を有する。そして、両端にリブ２２２を有する湾曲部２２０は、その先端部２２４に向けて、幅方向の寸法が先細りとなるテーパー状に形成されている。そこで、このサイレンサ２００は、第２のリーフスプリング１２０のテーパー状の湾曲部１２２に対して確実に係合される構造を有するものである。
【００１２】
図４は、本発明のサイレンサの形状構造を示す図面である。サイレンサ２００は、上面が平坦面２１２で形成され、下面が円弧面で形成される上面平坦部２１０と、上面平坦部２１０に連続する湾曲部２２０を有する。湾曲部２２０は、その幅方向の両側部にリブ２２２が形成される。そして、この湾曲部２２０は、その先端部２２４に向けて、幅寸法が先細りとなるテーパー形状に形成されている。上面平坦部２１０の上面の平坦面２１２と湾曲部２２０の接合する稜部２１４は、その肉厚寸法ｔ１が他の部分の肉厚寸法より大きくなるように形成されており、稜線を形成している。
【００１３】
図５は、本発明のサイレンサの作用を示す説明図である。車両に装備されたリーフスプリングは、車両の振動により、各リーフスプリングの間で相対的に変位し、変位が大きいとサイレンサが脱落することもある。本発明にあっては、図５において、サイレンサが矢印Ｃ方向に移動しようとすると、湾曲部２２０の表面２２０ａが第１のリーフスプリング１１０の目玉部１１４の基端部１１２の裏面部１１２ａに衝突し、その移動が規制される。平坦面２１２と湾曲部２２０の間に稜部２１４を設けてあるので、矢印Ｃ方向への移動が確実に規制される。
【００１４】
次に、サイレンサが矢印Ｄ方向に移動しようとすると、テーパーが付された湾曲部２２０の両側のリブ２２２が、第２のリーフスプリング１２０の湾曲部１２２のテーパーが付された両側部１２４に当接し、矢印Ｄ方向への移動が規制される。したがって、このサイレンサは、第１のリーフスプリング１１０の目玉部１１４と、第２のリーフスプリング１２０の湾曲部１２２との間に、確実に挾持される構造を有する。
【００１５】
【発明の効果】
本発明は以上のように、目玉部の基端部が下向きに折り曲げられる、いわゆるベルリンアイ形状の目玉部を有するリーフスプリングに装備される樹脂製のサイレンサにあって、サイレンサをリーフスプリングに固定するための取付具を用いることなしに、サイレンサをリーフスプリング間に保持することができる。
したがって、部品点数も削減され、また、組立も容易となる効果を有する。
【図面の簡単な説明】
【図１】本発明のサイレンサを備えたリーフスプリングの目玉部の部品構成図。
【図２】本発明のサイレンサを備えたリーフスプリングの目玉部の側面図。
【図３】図２のＡ−Ａ断面図。
【図４】本発明のサイレンサの（Ａ）側面図、（Ｂ）Ｆ矢視図、（Ｃ）Ｅ矢視図。
【図５】本発明の作用を示す説明図。
【図６】リーフスプリングの構造を示す説明図。
【図７】従来のサイレンサの構成を示す説明図。
【図８】従来のサイレンサの取付構造を示す説明図。
【図９】従来のサイレンサの取付構造を示す説明図。
【符号の説明】
１１０ 第１のリーフスプリング
１１２ 目玉部の基端部
１１４ 目玉部
１２０ 第２のリーフスプリング
１２２ 湾曲部
１２４ 側部
１２６ 先端部
２００ サイレンサ
２１０ 平坦部
２１４ 稜部
２２０ 湾曲部
２２２ リブ
【図１】
0003775090.tif 000002
【図２】
0003775090.tif 000003
【図３】
0003775090.tif 000004
【図４】
0003775090.tif 000005
【図５】
0003775090.tif 000006
【図６】
0003775090.tif 000007
【図７】
0003775090.tif 000008
【図８】
0003775090.tif 000009
【図９】
0003775090.tif 000010